【手続補正書】
【提出日】令和2年4月15日(2020.4.15)
【手続補正１】
【補正対象書類名】特許請求の範囲
【補正対象項目名】全文
【補正方法】変更
【補正の内容】
【特許請求の範囲】
【請求項１】
ビデオデータを復号するための方法であって、
ビデオデータの現在ブロックがイントラコーディングされていると判断するステップと、
前記現在ブロックの第1の隣接ブロックがイントラ予測されたと判断したことに応答して、前記現在ブロックの前記第1の隣接ブロックを復号するのに使われるイントラ予測モードを、前記現在ブロック用の最確モード候補リストに追加するステップと、
前記現在ブロックの第2の隣接ブロックがイントラ予測されたと判断したことに応答して、前記現在ブロックの前記第2の隣接ブロックを復号するのに使われるイントラ予測モードを、前記現在ブロック用の前記最確モード候補リストに追加するステップと、
前記現在ブロックの第3の隣接ブロックがイントラ予測されたと判断したことに応答して、前記現在ブロックの前記第3の隣接ブロックを復号するのに使われるイントラ予測モードを、前記現在ブロック用の前記最確モード候補リストに追加するステップと、
前記最確モード候補リストを使用してイントラ予測モードを決定するステップと、
前記イントラ予測モードを使用してビデオデータの前記現在ブロックを復号するステップとを含み、
前記第1の隣接ブロック、前記第2の隣接ブロック、および前記第3の隣接ブロックは、各々、前記現在ブロックに対する、左ネイバーブロック、上ネイバーブロック、左下ネイバーブロック、右上ネイバーブロック、または左上ネイバーブロックのうちの1つに対応する、方法。
【請求項２】
前記第1の隣接ブロックおよび前記第2の隣接ブロックの前記イントラ予測モードを前記最確モード候補リストに追加するステップの後、ならびに前記第3の隣接ブロックの前記イントラ予測モードを前記最確モード候補リストに追加する前に、1つまたは複数のデフォルト候補を前記最確モード候補リストに追加するステップをさらに含み、
前記1つまたは複数のデフォルト候補は、平面モードおよびDCモードのうちの一方または両方を含む、請求項1に記載の方法。
【請求項３】
前記方法が、1つまたは複数の導出イントラ予測モードを前記最確モード候補リストに追加するステップをさらに含み、
前記方法が、隣接ブロックのイントラ予測モードに基づいて、前記1つまたは複数の導出イントラ予測モードを決定するステップをさらに含み、
前記1つまたは複数の導出イントラ予測モードは、前記隣接ブロックの前記イントラ予測モードのモードインデックスにオフセットを加えたものをもつイントラ予測モードを含み、
前記オフセットは-2、-1、1、または2のうちの1つに等しい、請求項1に記載の方法。
【請求項４】
2つの導出イントラ予測モードが同じイントラ予測モードであることに応答して、前記2つの導出イントラ予測モードのただ1つのインスタンスを前記最確モード候補リスト中に含めるステップをさらに含む、請求項3に記載の方法。
【請求項５】
前記イントラ予測モードを決定するステップは、
前記イントラ予測モードが、前記最確モード候補リスト中に含まれるイントラ予測モードでないという指示を受信するステップと、
前記イントラ予測モードを示す追加シンタックスを受信するステップとを含む、請求項1に記載の方法。
【請求項６】
隣接ブロックのグループを固定順序で検査して、前記隣接ブロックのグループからの隣接ブロックがイントラコーディングされたかどうかを判断するステップであって、前記隣接ブロックのグループは、前記第1の隣接ブロック、前記第2の隣接ブロック、前記第3の隣接ブロック、および少なくとも1つの他の隣接ブロックを含む、ステップと、
前記隣接ブロックのグループからの隣接ブロックを符号化するのに使われるイントラ予測モードを、前記最確モード候補リストの中に前記固定順序で追加するステップとをさらに含み、
前記方法が、前記隣接ブロックのグループからの2つの隣接ブロックが、同じイントラ予測モードを使用してコーディングされていることに応答して、前記同じイントラ予測モードのただ1つのインスタンスを前記最確モード候補リスト中に含めるステップをさらに含む、または、
前記隣接ブロックのグループの1つまたは複数の隣接ブロックを検査するステップは、マージモード用に隣接ブロックを検査するのに使われる同じ順序を使用して、前記1つまたは複数の隣接ブロックを検査するステップを含む、または、
前記方法が、前記隣接ブロックのグループからの隣接ブロックを符号化するのに使われるイントラ予測モードを前記最確モード候補リストの中に追加したことにより、前記最確モード候補リスト中のイントラ予測モードの数が閾数を超えたことに応答して、前記隣接ブロックのグループの前記1つまたは複数の隣接ブロックをもう一度検査するという前記検査を終了させるステップをさらに含む、請求項1に記載の方法。
【請求項７】
ビデオデータを復号するためのデバイスであって、
前記ビデオデータを記憶するように構成されたメモリと、
1つまたは複数のプロセッサとを備え、前記1つまたは複数のプロセッサは、
前記ビデオデータの現在ブロックがイントラコーディングされていると判断し、
前記現在ブロックの第1の隣接ブロックがイントラ予測されたと判断したことに応答して、前記現在ブロックの前記第1の隣接ブロックを復号するのに使われるイントラ予測モードを、前記現在ブロック用の最確モード候補リストに追加し、
前記現在ブロックの第2の隣接ブロックがイントラ予測されたと判断したことに応答して、前記現在ブロックの前記第2の隣接ブロックを復号するのに使われるイントラ予測モードを、前記現在ブロック用の前記最確モード候補リストに追加し、
前記現在ブロックの第3の隣接ブロックがイントラ予測されたと判断したことに応答して、前記現在ブロックの前記第3の隣接ブロックを復号するのに使われるイントラ予測モードを、前記現在ブロック用の前記最確モード候補リストに追加し、
前記最確モード候補リストを使用してイントラ予測モードを決定し、
前記イントラ予測モードを使用して前記現在ブロックを復号するように構成され、
前記第1の隣接ブロック、前記第2の隣接ブロック、および前記第3の隣接ブロックは、各々、前記現在ブロックに対する、左ネイバーブロック、上ネイバーブロック、左下ネイバーブロック、右上ネイバーブロック、または左上ネイバーブロックのうちの1つに対応する、デバイス。
【請求項８】
前記1つまたは複数のプロセッサは、
前記第1の隣接ブロックおよび前記第2の隣接ブロックの前記イントラ予測モードを前記最確モード候補リストに追加するステップの後、ならびに前記第3の隣接ブロックの前記イントラ予測モードを前記最確モード候補リストに追加する前に、1つまたは複数のデフォルト候補を前記最確モード候補リストに追加するように構成され、
前記1つまたは複数のデフォルト候補は、平面モードおよびDCモードのうちの一方または両方を含む、請求項7に記載のデバイス。
【請求項９】
前記1つまたは複数のプロセッサは、1つまたは複数の導出イントラ予測モードを前記最確モード候補リストに追加するように構成され、
前記1つまたは複数のプロセッサは、隣接ブロックのイントラ予測モードに基づいて、前記1つまたは複数の導出イントラ予測モードを決定するように構成され、
前記1つまたは複数の導出イントラ予測モードは、隣接ブロックの前記イントラ予測モードのモードインデックスにオフセットを加えたものをもつイントラ予測モードを含み、
前記オフセットは-2、-1、1、または2のうちの1つに等しい、請求項7に記載のデバイス。
【請求項１０】
前記1つまたは複数のプロセッサは、
2つの導出イントラ予測モードが同じイントラ予測モードであることに応答して、前記2つの導出イントラ予測モードのただ1つのインスタンスを前記最確モード候補リスト中に含めるように構成される、請求項9に記載のデバイス。
【請求項１１】
前記イントラ予測モードを決定するために、前記1つまたは複数のプロセッサは、
前記イントラ予測モードが、前記最確モード候補リスト中に含まれるイントラ予測モードでないという指示を受信し、
前記イントラ予測モードを示す追加シンタックスを受信するように構成される、請求項7に記載のデバイス。
【請求項１２】
前記1つまたは複数のプロセッサは、
隣接ブロックのグループを固定順序で検査して、前記隣接ブロックのグループからの隣接ブロックがイントラコーディングされたかどうかを判断することであって、前記隣接ブロックのグループは、前記第1の隣接ブロック、前記第2の隣接ブロック、前記第3の隣接ブロック、および少なくとも1つの他の隣接ブロックを含む、ことと、
前記隣接ブロックのグループからの隣接ブロックを符号化するのに使われるイントラ予測モードを、前記最確モード候補リストの中に前記固定順序で追加することとを行うように構成され、
前記1つまたは複数のプロセッサは、前記隣接ブロックのグループからの2つの隣接ブロックが、同じイントラ予測モードを使用してコーディングされていることに応答して、前記同じイントラ予測モードのただ1つのインスタンスを前記最確モード候補リスト中に含めるように構成される、または、
前記隣接ブロックのグループの1つまたは複数の隣接ブロックを検査するために、前記1つまたは複数のプロセッサは、マージモード用に隣接ブロックを検査するのに使われる同じ順序を使用して、前記1つまたは複数の隣接ブロックを検査するように構成される、または、
前記1つまたは複数のプロセッサは、前記隣接ブロックのグループからの隣接ブロックを符号化するのに使われるイントラ予測モードを前記最確モード候補リストの中に追加したことにより、前記最確モード候補リスト中のイントラ予測モードの数が閾数を超えたことに応答して、前記隣接ブロックのグループの前記1つまたは複数の隣接ブロックをもう一度検査するという前記検査を終了させるように構成される、請求項7に記載のデバイス。
【請求項１３】
符号化ビデオデータを受信するように構成された受信機をさらに備えるワイヤレス通信デバイスを備え、
前記ワイヤレス通信デバイスが電話ハンドセットを備え、前記受信機が、ワイヤレス通信規格に従って、前記符号化ビデオデータを備える信号を復調するように構成される、請求項7に記載のデバイス。
【請求項１４】
ビデオデータを符号化するための方法であって、
ビデオデータの現在ブロックがイントラコーディングされていると判断するステップと、
前記現在ブロックの第1の隣接ブロックがイントラ予測されたと判断したことに応答して、前記現在ブロックの前記第1の隣接ブロックを符号化するのに使われるイントラ予測モードを、前記現在ブロック用の最確モード候補リストに追加するステップと、
前記現在ブロックの第1の隣接ブロックがイントラ予測されたと判断したことに応答して、前記現在ブロックの第2の隣接ブロックを符号化するのに使われるイントラ予測モードを、前記現在ブロック用の前記最確モード候補リストに追加するステップと、
前記現在ブロックの第1の隣接ブロックがイントラ予測されたと判断したことに応答して、前記現在ブロックの第3の隣接ブロックを符号化するのに使われるイントラ予測モードを、前記現在ブロック用の前記最確モード候補リストに追加するステップと、
前記最確モード候補リストを使用してイントラ予測モードを決定するステップと、
前記イントラ予測モードを使用してビデオデータの前記現在ブロックを符号化するステップとを含み、
前記第1の隣接ブロックおよび前記第2の隣接ブロックの前記イントラ予測モードを前記最確モード候補リストに追加するステップの後、ならびに前記第3の隣接ブロックの前記イントラ予測モードを前記最確モード候補リストに追加する前に、1つまたは複数のデフォルト候補を前記最確モード候補リストに追加するステップをさらに含む、方法。
【請求項１５】
1つまたは複数の導出イントラ予測モードを前記最確モード候補リストに追加するステップをさらに含む、または、
イントラ予測モードを使用してビデオデータの前記現在ブロックを符号化するステップは、
前記ビデオデータを含むビットストリームに含めるために、前記イントラ予測モードが、前記最確モード候補リスト中に含まれるイントラ予測モードでないという指示を生成するステップと、
前記ビデオデータを含む前記ビットストリームに含めるために、前記イントラ予測モードを示す追加シンタックスを生成するステップとを含む、または、
前記方法が、
隣接ブロックのグループを固定順序で検査して、前記隣接ブロックのグループからの隣接ブロックがイントラコーディングされたかどうかを判断するステップであって、前記隣接ブロックのグループは、前記第1の隣接ブロック、前記第2の隣接ブロック、前記第3の隣接ブロック、および少なくとも1つの他の隣接ブロックを含む、ステップと、
前記隣接ブロックのグループからの隣接ブロックを符号化するのに使われるイントラ予測モードを、前記最確モード候補リストの中に前記固定順序で追加するステップとをさらに含む、請求項14に記載の方法。
【請求項１６】
ビデオデータを符号化するためのデバイスであって、
前記ビデオデータを記憶するように構成されたメモリと、
1つまたは複数のプロセッサとを備え、前記1つまたは複数のプロセッサは、
ビデオデータの現在ブロックがイントラコーディングされていると判断し、
前記現在ブロックの第1の隣接ブロックがイントラ予測されたと判断したことに応答して、前記現在ブロックの前記第1の隣接ブロックを復号するのに使われるイントラ予測モードを、前記現在ブロック用の最確モード候補リストに追加し、
前記現在ブロックの第2の隣接ブロックがイントラ予測されたと判断したことに応答して、前記現在ブロックの前記第2の隣接ブロックを符号化するのに使われるイントラ予測モードを、前記現在ブロック用の前記最確モード候補リストに追加し、
前記現在ブロックの第3の隣接ブロックがイントラ予測されたと判断したことに応答して、前記現在ブロックの前記第3の隣接ブロックを符号化するのに使われるイントラ予測モードを、前記現在ブロック用の前記最確モード候補リストに追加し、
前記最確モード候補リストを使用してイントラ予測モードを決定し、
前記イントラ予測モードを使用してビデオデータの前記現在ブロックを符号化し、
前記第1の隣接ブロックおよび前記第2の隣接ブロックの前記イントラ予測モードを前記最確モード候補リストに追加するステップの後、ならびに前記第3の隣接ブロックの前記イントラ予測モードを前記最確モード候補リストに追加する前に、1つまたは複数のデフォルト候補を前記最確モード候補リストに追加するように構成される、デバイス。
【請求項１７】
前記1つまたは複数のプロセッサは、
1つまたは複数の導出イントラ予測モードを前記最確モード候補リストに追加するように構成される、または、
イントラ予測モードを使用してビデオデータの前記現在ブロックを符号化するために、前記1つまたは複数のプロセッサは、
前記ビデオデータを含むビットストリームに含めるために、前記イントラ予測モードが、前記最確モード候補リスト中に含まれるイントラ予測モードでないという指示を生成し、
前記ビデオデータを含む前記ビットストリームに含めるために、前記イントラ予測モードを示す追加シンタックスを生成するように構成される、または、
前記1つまたは複数のプロセッサは、
隣接ブロックのグループを固定順序で検査して、前記隣接ブロックのグループからの隣接ブロックがイントラコーディングされたかどうかを判断することであって、前記隣接ブロックのグループは、前記第1の隣接ブロック、前記第2の隣接ブロック、前記第3の隣接ブロック、および少なくとも1つの他の隣接ブロックを含む、ことと、
前記隣接ブロックのグループからの隣接ブロックを符号化するのに使われるイントラ予測モードを、前記最確モード候補リストの中に前記固定順序で追加することとを行うように構成される、請求項16に記載のデバイス。